(57)【要約】      （修正有）【課題】台紙にフランジ部を接着したブリスターパックに於いて接着剤等の収容物の開封、取出しが容易で、保存容器として再度使用でき、台紙に印刷された取扱説明書が読めるブリスターパックの提供。【解決手段】ブリスターパックを開封しやすくするために台紙２に設けた取り出し口線７ａと略中心線８ａとをミシン目等の裂開部８とし、それらを開封してなる取り出し口７より収容物を取り出す際、裂開部８が収容物で押し広げられながら湾曲し、取出し完了と同時に台紙２の弾力で裂開部８が口を閉じるようにする。これはブリスターの端部の台紙２に設けた取り出し口７が収容物の横断面と指とが同時に入る広さを有すること、ブリスターの内部に指差込部５を設けること、ブリスターの収容部３とフランジ部４との間に空白部６を設けてその部分の台紙２を湾曲帯とすることで解決できる。収容物の使用後は前記と逆の順序で収納する事で再使用可能な保存容器となる。【選択図】図１
2006123955.tif 000002
【特許請求の範囲】
【請求項１】
台紙にフランジ部を接着したブリスターパックに於いて、合成樹脂製ブリスターの領域内の台紙の一方の端部に設けた取り出し口線と、前記取り出し口線から長辺方向の他方の端部に伸びる略中心線とを裂開部としたブリスターパック。
【請求項２】
台紙にフランジ部を接着したブリスターパックに於いて、合成樹脂製ブリスターの領域内の台紙の一方の端部に設けた取り出し口線と、前記取り出し口線から長辺方向の他方の端部の途中まで伸びる略中心線と、この線の先端に略直角に接する裂開停止線とを裂開部としたブリスターパック。
【請求項３】
台紙にフランジ部を接着するのに替えて、台紙の側縁にフランジ部を折り曲げて巻着した請求項１又は２記載のブリスターパック。
【発明の詳細な説明】
【技術分野】
【０００１】
本発明は接着剤、塗料、工具やその他の商品を収容してホームセンターやコンビニ等で陳列販売するブリスターパックに関する技術である。
【背景技術】
【０００２】
従来透明合成樹脂などで凹型に成型したブリスターに接着剤等の収容物を収納しフランジ部を台紙に接着したブリスターパックに於いて、収容物を取り出すのに台紙を両手で掴んで引き裂いて取り出したり台紙に接着してあるブリスターのフランジ部の端にむりやり爪先を差し込んでブリスターを引き剥がして取り出したりしていたが、台紙に印刷された取扱説明書が破れてしまったり、指先を傷つける事もあり、苦労していた。そこで台紙の長辺方向に裂開部を設けて収容物を取り出しやすくするというブリスターパックがあったが開封後に保存容器となるものではなかった(例えば特許文献１参照。)。
【０００３】
収容物が接着剤などで一度使用した後、再使用する場合に台紙に印刷された取扱説明書を読みながら使用したいが、前記のように台紙が破れて説明書が読めなかったり、ブリスターと台紙が分離したため保存容器としては使えず捨ててしまっていたりすることがあった。
そこで裂開部を設け、開封後に保存容器として使用可能というブリスターパックがあったが折り曲げ線で折り曲げられた蓋は口を開きやすく、そのうえ蓋の範囲内に収納されているため収容物はこぼれ落ちやすいものであった(例えば特許文献２参照。)。
【０００４】
また接着剤などの入った金属製チューブや小型容器に印刷された説明書は再使用の際文字が小さすぎたり、一部省略されていたり、金属製チューブがしわになり読みづらいという事もあった。
【０００５】
【特許文献１】特開平９−２５２７
【特許文献２】実開平７−２２６６
【特許文献３】特開平９−２２１１６９
【特許文献４】特開平１０−１８１７６９
【発明の開示】
【発明が解決しようとする課題】
【０００６】
開封、取出しが容易で、再使用の際、台紙に印刷された取扱説明書を読む事ができ、安定した状態での保存容器となるブリスターパックが求められる。
【課題を解決するための手段】
【０００７】
本発明は上記目的を解決するために、第１の解決手段は、台紙にフランジ部を接着したブリスターパックに於いて、合成樹脂製ブリスターの領域内の台紙の一方の端部に設けた取り出し口線と、前記取り出し口線から長辺方向の他方の端部に伸びる略中心線とを裂開部としたものである。
【０００８】
また、第２の解決手段は、台紙にフランジ部を接着したブリスターパックに於いて、合成樹脂製ブリスターの領域内の台紙の一方の端部に設けた取り出し口線と、前記取り出し口線から長辺方向の他方の端部の途中まで伸びる略中心線と、この線の先端に略直角に接する裂開停止線とを裂開部としたものである。
【０００９】
そして第３の解決手段は、台紙にフランジ部を接着するのに替えて、台紙の側縁にフランジ部を折り曲げて巻着した前記第１の解決手段又は第２の解決手段記載のブリスターパックである。
【発明の効果】
【００１０】
本発明の「保存容器となるブリスターパック」は容易に開封でき、収容物を取り出し易く、収容物の接着剤等を再使用する際の安定した状態の保存容器となるものであり、台紙に印刷された取扱説明書を読む事ができるものである。
【発明を実施するための最良の形態】
【００１１】
発明の実施の形態について実施例の図面を参照して説明する。第１の実施例を図１から図６に示す。台紙（２）にフランジ部（４）を接着したブリスターパックであるが、本発明の上記目的を解決する為にブリスター（１）の領域内の台紙（２）の一方の端部に設けた取り出し口線（７a）と他方の端部に伸びる略中心線（８a）とを、幅の狭いミシン目やスリット状の裂開部(８)としこれらを爪先等で開封してなる取り出し口（７）より収容物（１１）を取り出す。
【００１２】
ここで取り出し口（７）は指先と、縦の長さが横よりも長い収容物（１１）の横断面とが同時に入る広さを有し、ブリスター（１）の端部に収容部（３）よりも深さの浅い指差込部（５）を設けてある。
【００１３】
次に指差込口（５）に指先を入れて収容物（１１）の端部を押さえながら収容物（１１）を引き出し、わずかに覗いた端部をつまんで取り出すのであるが、ブリスター（１）の収容部（３）とフランジ部（４）との間に空白部（６）を設け、裂開部（８）と、台紙（２）にしっかりと接着されているフランジ部（４）との間の台紙（２）に遊びを持たせて、この部分を湾曲帯(９)とする。
【００１４】
そのため収容物（１１）の側面が裂開部（８）を押し広げながら湾曲帯（９）が湾曲して取り出される。取出しが完了すると同時に湾曲帯（９）は台紙（２）の弾力で、開いていた口を閉じて元の平らな台紙（２）となり、印刷された取扱説明書を読む事ができる。
【００１５】
前記凹型状のブリスター（１）は収容部（３）、指差込部（５）、空白部（６）、およびフランジ部（４）とから成っているが、収容物が内部で空転するのを少なくするため収容部（３）は収容物（１１）に対して遊びを少なく形成されている。
【００１６】
取り出した接着剤等の収容物（１１）は一部を使用した後、再使用時のために前記と逆の順序で取り出し口(７)から簡単に収納でき、収納が完了すると同時に裂開部（８）は開いた口を閉じて安定した状態での保存容器となるものである。
【００１７】
図７から図１２は、第１の解決手段の応用例であるところの第２の解決手段の説明図であるが、台紙に未開封部(１０)を設けてあるため、保存容器として使用する際には、この未開封部(１０)が有効に働くものである。また第１の解決手段では開封された略中心線の裂開部を、収容物が押し広げる際、裂開部を通り過ぎて台紙が裂け、説明書が読みにくくなることもあったが、裂開停止線(８ｂ)を設けているため裂開はここで止まり台紙が裂けることがなくなる。そしてこの裂開停止線(８ｂ)により湾曲帯の幅が、第１の解決手段よりも広くなり収容物が取り出しやすくなる。
【００１８】
図１３から図１６は、前記第１及び第２の解決手段の応用例であるところの第３の解決手段の説明図であるが、ブリスターのフランジ部を台紙の周囲側縁に折り曲げて巻着してあり、廃棄時には、取り出し口や裂開部から指を入れて台紙を引き裂いて、台紙とブリスターとを安全、簡単かつ完全に分離できるようにしたものである。なお、当第３の解決手段では、第１、第２の解決手段のようにフランジ部が台紙に接着されていないため、指差込部は設けてあるが空白部は特に設けない。
【００１９】
図１７は上記の応用例である。従来の台紙にフランジ部を接着したブリスターパックは、台紙とブリスターが一体的に働くため形状が安定している。それに比べてフランジを折り曲げて台紙の側縁に巻着するタイプのブリスターパックは一体的に働きにくく、折り曲げ部の4つ角に隙間があって台紙がはずれやすいという欠点があった。そこで台紙の４側縁で折り曲げた合成樹脂シート同志を４つ角で接着して、より安定した形状のフランジ部折り曲げ式のブリスターパックを得る。これは、取り出し口や裂開部から、収容物を取り出したり、廃棄時にはこれらから指を入れて台紙を破りごみの区分ができるようにしたため可能になったことである。
【産業上の利用可能性】
【００２０】
従来虫さされやすり傷、やけどやにきび等の金属製チューブや小型容器に入れて、使用説明書を印刷した紙製の箱に収容して薬局で販売されていた簡易薬剤が、規制緩和によりコンビニ等で販売される日も近いと思われる。本発明は今まで薬局で購入していたのと同じ形状の簡易薬剤等を、説明を聞かなくても自分の目で収容物の形状を確かめ、安心して購入できるコンビニ等に適した包装形態として利用できるし、開封後にも便利な説明書付きの保存容器として使用できるものである。
【図面の簡単な説明】
【００２１】
【図１】本発明の第１の実施例を示す平面図である。
【図２】同縦断面図である。
【図３】同横断面図である。
【図４】同収容物取り出し中の縦断面図である。
【図５】同収容物取り出し中の横断面図である。
【図６】同収容物取り出し中の斜視図である。
【図７】本発明の第２の実施例を示す平面図である。
【図８】同縦断面図である。
【図９】同横断面図である。
【図１０】同収容物取り出し中の縦断面図である。
【図１１】同収容物取り出し中の横断面図である。
【図１２】同収容物取り出し中の斜視図である。
【図１３】本発明の第３の実施例を示す平面図である。
【図１４】同応用例平面図である。
【図１５】同横断面図である。
【図１６】同縦断面図である。
【図１７】(ａ)、(ｂ)同応用例の平面図である。
【符号の説明】
【００２２】
１  ブリスター
２  台紙
３  収容部
４  フランジ部
５  指差込部
６  空白部
７  取り出し口
７ａ  取り出し口線
８ａ  略中心線
８ｂ  裂開停止線
８  裂開部
９  湾曲帯
１０  未開封部
１１  収容物
１２  折り曲げ部
１３  接着部
【図１】
2006123955.tif 000003
【図２】
2006123955.tif 000004
【図３】
2006123955.tif 000005
【図４】
2006123955.tif 000006
【図５】
2006123955.tif 000007
【図６】
2006123955.tif 000008
【図７】
2006123955.tif 000009
【図８】
2006123955.tif 000010
【図９】
2006123955.tif 000011
【図１０】
2006123955.tif 000012
【図１１】
2006123955.tif 000013
【図１２】
2006123955.tif 000014
【図１３】
2006123955.tif 000015
【図１４】
2006123955.tif 000016
【図１５】
2006123955.tif 000017
【図１６】
2006123955.tif 000018
【図１７】
2006123955.tif 000019